(57)【要約】【課題】シンプルな取り付け作業性を確保しながら、ワイヤ部材の取り付け剛性を向上させた車両用シートを提供する。【解決手段】車両用シートは、背もたれ部の骨格となるバックフレーム１０と、バックフレーム１０のシート幅方向の外側面に配置され、かつ、バックフレーム１０の下端部分に取り付けられる取り付けブラケット１７と、バックフレーム１０の下端部分と取り付けブラケット１７に取り付けられるワイヤ部材６０とを備えている。ワイヤ部材６０は、シート幅方向の内側に配置され、バックフレーム１０下端の外面に沿って取り付けられる内側端部と、シート幅方向の外側に配置され、取り付けブラケット１７のシート幅方向の外側面に取り付けられる外側端部とを有している。【選択図】図３
2020040507.tif 000002
【特許請求の範囲】
【請求項１】
背もたれ部の骨格となるバックフレームと、
該バックフレームのシート幅方向の外側部分に配置され、かつ、前記バックフレームの下方部分に取り付けられる取り付けブラケットと、
前記バックフレームの下方部分と前記取り付けブラケットのそれぞれに取り付けられるワイヤ部材と、を備え、
該ワイヤ部材は、
シート幅方向の内側に配置され、前記バックフレームに取り付けられる内側端部と、
シート幅方向の外側に配置され、前記取り付けブラケットのシート幅方向の外側部分に取り付けられる外側端部と、を有していることを特徴とする車両用シート。
【請求項２】
前記取り付けブラケットは、前記バックフレームの外側面に取り付けられ、前記バックフレームと、車体フロア上に設けられた支持ベースとを連結していることを特徴とする請求項１に記載の車両用シート。
【請求項３】
前記バックフレームは、パイプ材で構成された枠状のメインフレームを備え、
前記内側端部は、前記メインフレームの下端部分に取り付けられ、該下端部分の外周面に沿ってシート前後方向に延出し、
前記外側端部は、前記取り付けブラケットの外側面に沿ってシート前後方向に延出していることを特徴とする請求項１又は２に記載の車両用シート。
【請求項４】
前記取り付けブラケットは、
前記メインフレームよりもシート幅方向の外側に配置されている側壁部と、
該側壁部の幅方向の一端部から連続して屈曲し、前記メインフレームの前面に延出している前壁部と、
前記側壁部の幅方向の他端部から連続して屈曲し、前記前壁部と対向しながら前記メインフレームの後面に延出している後壁部と、を有し、
前記取り付けブラケットのうち、前記前壁部及び前記後壁部が、前記メインフレームに接合されていることを特徴とする請求項３に記載の車両用シート。
【請求項５】
前記側壁部は、前記メインフレームに沿わせて上下方向に延出し、
前記側壁部のうち、シート上下方向において前記メインフレームに対応した部分と前記ワイヤ部材が取り付けられた下端部分との間には、前記メインフレームに沿わせてシート幅方向の内側に屈曲した屈曲部が形成されていることを特徴とする請求項４に記載の車両用シート。
【請求項６】
着座部の骨格となるクッションフレームを備え、
該クッションフレームは、前記メインフレームのシート幅方向の外側に取り付けられ、シート幅方向の側方を構成するクッションサイドフレームを有し、
前記外側端部は、シート幅方向において前記取り付けブラケットと前記クッションサイドフレームの間に形成された隙間に配置されていることを特徴とする請求項３乃至５のいずれか１項に記載の車両用シート。
【請求項７】
前記メインフレームは、シート幅方向の側方に配置される左右のサイドフレーム部と、該左右のサイドフレーム部の下端を連結する下方フレーム部と、を有し、
前記取り付けブラケットは、前記サイドフレーム部の外側面に取り付けられ、
前記メインフレームには、前記サイドフレーム部のうち、前記取り付けブラケットが取り付けられた部分と、前記下方フレーム部とを連結する補強ブラケットが設けられていることを特徴とする請求項３乃至６のいずれか１項に記載の車両用シート。
【請求項８】
前記補強ブラケットは、断面略Ｕ字形状に形成され、
前記補強ブラケットのうち、前記下方フレーム部に取り付けられた端部の周辺部分には、シート前後方向の一方側に屈曲した段差部が形成されていることを特徴とする請求項７に記載の車両用シート。
【請求項９】
前記補強ブラケットは、
前記メインフレームの枠状内部に配置されている側方壁部と、
該側方壁部の幅方向の一端部から連続して屈曲し、前記メインフレームの前面に延出している前方壁部と、
前記側方壁部の幅方向の他端部から連続して屈曲し、前記前方壁部と対向しながら前記メインフレームの後面に延出している後方壁部と、を有し、
前記前方壁部及び前記後方壁部が、前記メインフレームに接合され、
前記側方壁部のうち前記メインフレームに近接した両端部分には、前記メインフレームとの干渉を避けるための切り欠き部が形成されていることを特徴とする請求項７又は８に記載の車両用シート。
【請求項１０】
前記バックフレームは、メインフレームのシート後方に配置される板状のパネルフレームを備え、
該パネルフレームのうち、前記補強ブラケットとシート前後方向で対向した部分には、シート後方に向かって凹んだ補強凹部が形成されていることを特徴とする請求項７乃至９のいずれか１項に記載の車両用シート。
【発明の詳細な説明】
【技術分野】
【０００１】
本発明は、車両用シートに係り、特に、シートフレームに対して、チャイルドシートを固定するためのワイヤ部材が取り付けられていることを特徴とする車両用シートに関する。
【背景技術】
【０００２】
従来、シートの骨格となるバックフレームやクッションフレームに対して、チャイルドシートを固定するためのワイヤ部材（アンカー部材）が取り付けられた車両用シートが知られており、当該ワイヤ部材の取り付け剛性を向上させるために種々工夫がなされているところである。
【０００３】
例えば、特許文献１に記載された車両用シートでは、クッションフレームの後端に対して、チャイルドシートを固定するためのＵ字形状のワイヤ部材が取り付けられている。
具体的には、当該ワイヤ部材は、クッションフレームの後端において左右方向に架設された連結パイプに対して固定されており、かつ、左右のクッションサイドフレームの上端に形成されたフランジ部分とも接合されている。上記構成により、ワイヤ部材の取り付け剛性が確保されている。
また特許文献２に記載の車両用シートにおいても、クッションフレームの後端にある連結パイプに対して、チャイルドシートを固定するためのアンカー部材がブラケットを介して固定されている。
【先行技術文献】
【特許文献】
【０００４】
【特許文献１】特開２００９−２０２７８８号公報
【特許文献２】特開２０１４−１５１６６０号公報
【発明の概要】
【発明が解決しようとする課題】
【０００５】
しかしながら、上記特許文献１のような車両用シートでは、シートフレームに対してワイヤ部材が複数箇所で接合されていた。
そのため、シンプルな取り付け作業性を確保しながら、ワイヤ部材の取り付け剛性を向上することが可能な車両用シートが望まれていた。
【０００６】
また、特許文献２のような車両用シートでは、シートフレームに対して別途ブラケットを介してアンカー部材が取り付けられた。
そのため、重量増加を抑制し、比較的コンパクトな配置でワイヤ部材を取り付けることが可能な車両用シートが望まれていた。
【０００７】
本発明は、上記の課題に鑑みてなされたものであり、本発明の目的は、シンプルな取り付け作業性を確保しながら、ワイヤ部材（特にチャイルドシートを固定するためのワイヤ部材）の取り付け剛性を向上させた車両用シートを提供することにある。
また、本発明の他の目的は、重量増加を抑制し、比較的コンパクトな配置でワイヤ部材を取り付けることが可能な車両用シートを提供することにある。
【課題を解決するための手段】
【０００８】
前記課題は、本発明の車両用シートによれば、背もたれ部の骨格となるバックフレームと、該バックフレームのシート幅方向の外側部分に配置され、かつ、前記バックフレームの下方部分に取り付けられる取り付けブラケットと、前記バックフレームの下方部分と前記取り付けブラケットのそれぞれに取り付けられるワイヤ部材と、を備え、該ワイヤ部材は、シート幅方向の内側に配置され、前記バックフレームに取り付けられる内側端部と、シート幅方向の外側に配置され、前記取り付けブラケットのシート幅方向の外側部分に取り付けられる外側端部と、を有していること、により解決される。
上記のように、ワイヤ部材は、シート幅方向の内側に配置され、バックフレームの下方部分に取り付けられる内側端部と、シート幅方向の外側に配置され、取り付けブラケットのシート幅方向の外側部分に取り付けられる外側端部とを有しているため、シンプルな取り付け作業性を確保することができる。また、ワイヤ部材の外側端部が、取り付けブラケットの外側部分に配置されて取り付けられているため、取り付けブラケットに比較的強固に取り付けられることになる。
従って、従来と比較してシンプルな取り付け作業性を確保しながら、ワイヤ部材（特にチャイルドシートを固定するためのワイヤ部材）の取り付け剛性を向上させた車両用シートを実現できる。
また、重量増加を抑制し、比較的コンパクトな配置でワイヤ部材を取り付け可能な車両用シートを実現できる。
【０００９】
このとき、前記取り付けブラケットは、前記バックフレームの外側面に取り付けられ、前記バックフレームと、車体フロア上に設けられた支持ベースとを連結していると良い。
上記構成により、取り付けブラケットは、バックフレームと車体フロア上にある支持ベースとを連結する比較的剛性の高まった部材となるため、取り付けブラケットの外側面に取り付けられるワイヤ部材の取り付け剛性が向上する。
【００１０】
このとき、前記バックフレームは、パイプ材で構成された枠状のメインフレームを備え、前記内側端部は、前記メインフレームの下端部分に取り付けられ、該下端部分の外周面に沿ってシート前後方向に延出し、前記外側端部は、前記取り付けブラケットの外側面に沿ってシート前後方向に延出していると良い。
上記のように、ワイヤ部材の内側端部、外側端部は、それぞれシート前後方向に延出した状態で取り付けられているため、外部からシート前後方向において荷重を受けたときや、急発進や急停車による荷重に対してワイヤ部材の取り付け剛性を確保することができる。
【００１１】
このとき、前記取り付けブラケットは、前記メインフレームよりもシート幅方向の外側に配置されている側壁部と、該側壁部の幅方向の一端部から連続して屈曲し、前記メインフレームの前面に延出している前壁部と、前記側壁部の幅方向の他端部から連続して屈曲し、前記前壁部と対向しながら前記メインフレームの後面に延出している後壁部と、を有し、前記取り付けブラケットのうち、前記前壁部及び前記後壁部が、前記メインフレームに接合されていると良い。
また、前記側壁部は、前記メインフレームに沿わせて上下方向に延出し、前記側壁部のうち、シート上下方向において前記メインフレームに対応した部分と前記ワイヤ部材が取り付けられた下端部分との間には、前記メインフレームに沿わせてシート幅方向の内側に屈曲した屈曲部が形成されていると良い。
上記構成により、メインフレームに対する取り付けブラケットの取り付け剛性が高まり、ワイヤ部材の取り付け剛性も高まることになる。
【００１２】
このとき、着座部の骨格となるクッションフレームを備え、該クッションフレームは、前記メインフレームのシート幅方向の外側に取り付けられ、シート幅方向の側方を構成するクッションサイドフレームを有し、前記外側端部は、シート幅方向において前記取り付けブラケットと前記クッションサイドフレームの間に形成された隙間に配置されていると良い。
上記構成により、比較的コンパクトな配置でワイヤ部材を取り付けることができる。また、リクライニング機構を備えた車両用シートの場合には、シートバックの安定した傾倒動作を実現できる。
【００１３】
このとき、前記メインフレームは、シート幅方向の側方に配置される左右のサイドフレーム部と、該左右のサイドフレーム部の下端を連結する下方フレーム部と、を有し、前記取り付けブラケットは、前記サイドフレーム部の外側面に取り付けられ、前記メインフレームには、前記サイドフレーム部のうち、前記取り付けブラケットが取り付けられた部分と、前記下方フレーム部とを連結する補強ブラケットが設けられていると良い。
上記構成により、バックフレームの剛性を向上させることができる。特にシート前後方向において比較的大きな荷重を受けたときに、パイプ材で構成された枠状のメインフレームが捩れてしまう虞を抑制できる。
【００１４】
このとき、前記補強ブラケットは、断面略Ｕ字形状に形成され、前記補強ブラケットのうち、前記下方フレーム部に取り付けられた端部の周辺部分には、シート前後方向の一方側に屈曲した段差部が形成されていると良い。
上記構成により、バックフレームの剛性を一層向上させることができる。また、メインフレームの角部周辺に補強ブラケットを取り付けたことで、メインフレーム自体がシンプルな形状となってもフレーム剛性を確保することができるため、結果として軽量化、コストダウン、構成部品の共有化を図ることができる。
【００１５】
このとき、前記補強ブラケットは、前記メインフレームの枠状内部に配置されている側方壁部と、該側方壁部の幅方向の一端部から連続して屈曲し、前記メインフレームの前面に延出している前方壁部と、前記側方壁部の幅方向の他端部から連続して屈曲し、前記前方壁部と対向しながら前記メインフレームの後面に延出している後方壁部と、を有し、前記前方壁部及び前記後方壁部が、前記メインフレームに接合され、前記側方壁部のうち前記メインフレームに近接した両端部分には、前記メインフレームとの干渉を避けるための切り欠き部が形成されていると良い。
上記構成により、シンプルな取り付け作業性を実現することができる。また、車両走行時において構成部品同士の接触に伴う異音発生を抑制することができる。
【００１６】
このとき、前記バックフレームは、メインフレームのシート後方に配置される板状のパネルフレームを備え、該パネルフレームのうち、前記補強ブラケットとシート前後方向で対向した部分には、シート後方に向かって凹んだ補強凹部が形成されていると良い。
上記構成により、パネルフレームの剛性を向上させることができるほか、補強ブラケットの取り付け作業性を確保することができる。
【発明の効果】
【００１７】
本発明によれば、従来と比較してシンプルな取り付け作業性を確保しながら、ワイヤ部材（特にチャイルドシートを固定するためのワイヤ部材）の取り付け剛性を向上させた車両用シートを実現できる。また、重量増加を抑制し、比較的コンパクトな配置でワイヤ部材を取り付け可能な車両用シートを実現できる。
【００１８】
また上記発明によれば、ワイヤ部材の取り付け剛性が向上する。特に、外部からシート前後方向において荷重を受けたときや、急発進や急停車による荷重に対してワイヤ部材の取り付け剛性を確保できる。
また上記発明によれば、メインフレームに対する取り付けブラケットの取り付け剛性が高まり、ワイヤ部材の取り付け剛性も高まることになる。
また上記発明によれば、比較的コンパクトな配置でワイヤ部材を取り付けられる。また、リクライニング機構を備えた車両用シートの場合には、シートバックの安定した傾倒動作を実現できる。
【００１９】
また上記発明によれば、バックフレームの剛性を向上させることができる。特にシート前後方向において比較的大きな荷重を受けたときに、パイプ材で構成された枠状のメインフレームの捩れを抑制できる。
また上記発明によれば、バックフレームの軽量化、コストダウン、構成部品の共有化を図ることができる。
また上記発明によれば、シンプルな取り付け作業性を実現し、車両走行時において構成部品同士の接触に伴う異音発生を抑制できる。
【図面の簡単な説明】
【００２０】
【図１】本実施形態における車両用シートの外観斜視図である。
【図２】車両用シートのシートフレームの外観斜視図である。
【図３】シートフレームの斜視図であって要部拡大図である。
【図４】シートフレームの正面図であって要部拡大図である。
【図５】取り付けブラケット、ワイヤ部材、補強ブラケットの組み付け状態を説明する図である。
【図６】シートフレームの背面図であって要部拡大図である。
【図７】図４のＶIＩ−ＶＩＩ断面図である。
【発明を実施するための形態】
【００２１】
以下、本発明の実施形態について図１〜図７を参照して説明する。
本実施形態は、背もたれ部の骨格となるバックフレームと、バックフレームのシート幅方向の外側面に配置され、かつ、バックフレームの下端部分に取り付けられる取り付けブラケットと、バックフレームの下端部分と取り付けブラケットに取り付けられるワイヤ部材とを備えた車両用シートであって、このワイヤ部材は、シート幅方向の内側に配置され、バックフレーム下端の外面に沿って取り付けられる内側端部と、シート幅方向の外側に配置され、取り付けブラケットのシート幅方向の外側面に取り付けられる外側端部と、を有していることを特徴とする車両用シートの発明に関するものである。
なお、車両用シートのシートバックに対して着座者が着座する側が前方側となる。
【００２２】
本実施形態の車両用シートＳは、例えば車両の後部座席に相当するリアシートである。
車両用シートＳは、図１に示すように、シートバック１と、シートクッション２と、ヘッドレスト３とを備えるシート本体と、図２に示すように、シート本体と車体フロアの間に取り付けられ、シートクッション２を支持する支持脚３０と、シートバック１を回動可能に支持する支持ベース４０と、シートバック１のシート幅方向の外側部分に取り付けられ、シート本体を使用状態から収納状態へ切り替えるための切り替え装置５０と、から主に構成されている。
また車両用シートＳは、図２、図３に示すように、シートバック１の下端部分に取り付けられ、チャイルドシートを連結するためのアンカーとなるワイヤ部材６０を備えている。
車両用シートＳの前方側には、車体フロアよりも低位置に形成された不図示の凹型の収納フロアが設けられている。
【００２３】
車両用シートＳは、乗員が着座可能な使用状態と、シート本体を収納フロアに収納させた収納状態との２種類の形態のシートアレンジが少なくとも可能なシートである。
具体的には、車両用シートＳは、使用状態から、乗員が図１に示す操作レバー５１を引っ張ると、シート本体が前倒れして折り畳まれ、収納フロアに収納された収納状態に切り替わる。また、収納状態から、乗員が手動でシート本体を上方に起こすことで使用状態に復帰する。
【００２４】
シートバック１は、図１に示すように、乗員の背中を後方から支持する背もたれ部であって、骨格となる図２に示すバックフレーム１０に、クッションパッド１ａを載置して、表皮１ｂで被覆されて構成されている。
シートクッション２は、乗員を下方から支持する着座部であって、骨格となる図２に示すクッションフレーム２０に、クッションパッド２ａを載置して、クッションパッド２ａの上から表皮２ｂによって被覆されて構成されている。
ヘッドレスト３は、乗員の頭を後方から支持する頭部であって、芯材となる不図示のヘッドレストピラーにクッションパッド３ａを載置して、表皮３ｂで被覆されて構成されている。
【００２５】
バックフレーム１０は、シートバック１の骨格となる略矩形状の枠状体からなり、図２に示すように、パイプ材で構成された枠状のメインフレーム１１と、メインフレームの枠内に配置され、メインフレーム１１の上部を構成する上方フレーム部１１ａ、及び下部を構成する下方フレーム部１１ｂを連結する連結フレーム１２と、メインフレーム１１及び連結フレーム１２のシート後面に略全体にわたって取り付けられる板状のパネルフレーム１３と、から主に構成されている。
なお、パネルフレーム１３の略中央部分には、シート前後方向において連結フレーム１２をパネルフレーム１３とで間に挟むようにリトラクタ用ブラケット１４が組み付けられている。リトラクタ用ブラケット１４は、シートベルトを巻き取る不図示のベルトリトラクタを取り付けるためのブラケットであり、補強のためのブラケットでもある。
【００２６】
メインフレーム１１のうち上方フレーム部１１ａの前面には、シート幅方向に所定の間隔をあけて複数の略平坦面が形成されている。これら略平坦面が形成された部分には、不図示のヘッドレストピラーを支持するための一対のヘッドレストガイド３ｃがそれぞれ取り付けられている。
メインフレーム１１のうち下方フレーム部１１ｂの下端部分には、表皮吊り込みワイヤ１５が溶接で取り付けられており、また、一対の表皮吊り込みワイヤ１５の端末部分と重ならない位置において一対のワイヤ部材６０が溶接で接合されている。
詳しく言うと、シート左側のワイヤ部材６０は、シート左側の表皮吊り込みワイヤ１５よりもシート幅方向の外側に配置され、シート右側のワイヤ部材６０は、シート右側の表皮吊り込みワイヤ１５の両端部分の間に挟まれた位置に配置されている。
【００２７】
メインフレーム１１の枠内には、サイドフレーム部１１ｃの下端部と下方フレーム部１１ｂの左側端部とを連結する補強ブラケット１６が溶接で取り付けられている。
メインフレーム１１のうち、左右のサイドフレーム部１１ｃ，１１ｄの外側面においてその下方部分には、図２、図３に示すように、支持ベース４０と連結するための左右の取り付けブラケット１７が取り付けられている。また、サイドフレーム部１１ｃの外側面のうち、その上方部分にはシート本体を使用状態から収納状態へ切り替えるための切り替え装置５０が取り付けられている。
【００２８】
連結フレーム１２は、図２に示すように、長尺なパイプ材から構成されており、その上端部分及び下端部分にはプレス加工により部分的に潰された略平坦面が形成されている。これら略平坦面がメインフレーム１１の外面に対して溶接によって取り付けられている。
また連結フレーム１２は、シート幅方向において補強ブラケット１６が取り付けられた左側部分とは反対側の右側部分に取り付けられている。そのため、バックフレーム１０の剛性がシート幅方向においてバランス良く高まっている。
【００２９】
パネルフレーム１３は、略矩形状からなるパネル部材であって、メインフレーム１１の上下左右のフレーム部分に対してそれぞれ溶接で取り付けられているほか、その上方部分及び下方部分が連結フレーム１２に対して溶接で取り付けられている。
詳しく言うと、図３に示すように、パネルフレーム１３のうちメインフレーム１１に対してシート前後方向で重なる部分の所定位置には、メインフレーム１１に向かって突出した不図示のフレーム取り付け凸部１３ａが形成されている。フレーム取り付け凸部１３ａがそれぞれ各フレームに当接した状態で溶接されている。
【００３０】
パネルフレーム１３の下端部分は、下方フレーム部１１ｂよりも下方へ延出し、表皮吊り込みワイヤ１５及びワイヤ部材６０を後方から覆うように設けられている。
詳しく言うと、パネルフレーム１３の下端部分が屈曲してシート前方に延出しており、表皮吊り込みワイヤ１５及びワイヤ部材６０を後方及び下方から覆っている。
そのため、外部からシート前後方向において荷重を受けた場合、下方から荷重を受けた場合であっても、これら部材の組み付け剛性を確保することができる。
【００３１】
パネルフレーム１３の下方部分には、図３、図７に示すように、補強ブラケット１６とシート前後方向で対向した部分においてシート後方に向かって凹んだ補強凹部１３ｂが形成されている。
補強凹部１３ｂは、図３に示すように、補強ブラケット１６と同等の幅を有し、補強ブラケット１６の延出方向に沿って延出している。詳しく言うと、そのシート幅方向の外側端部はサイドフレーム部１１ｃの後面に対向する位置まで延びて、その内側端部は下方フレーム部１１ｂの後面に対向する位置まで延びている。
そのため、パネルフレーム１３の剛性を高められるほか、隙間が形成されるため補強ブラケット１６の取り付け作業性を確保することができる。また、車両走行時において構成部品同士の接触に伴う異音発生を抑制できる。
【００３２】
表皮吊り込みワイヤ１５は、図２、図３に示すように、シートクッション２又はシートバック１の表皮端末部分を吊り込むためのワイヤであって、シート幅方向に延びるワイヤ本体部１５ａと、ワイヤ本体部１５ａの左右両端部からそれぞれ連続して屈曲し上方に延びる一対のワイヤ延出部１５ｂと、一対のワイヤ延出部１５ｂの上端部からそれぞれ連続して屈曲しシート幅方向の内側に延びる一対のワイヤ端末部１５ｃと、から主に構成されている。
ワイヤ本体部１５ａの略中央部分がパネルフレーム１３の下端部分と溶接で接合され、かつ、一対のワイヤ端末部１５ｃがそれぞれ下方フレーム部１１ｂの底面と溶接で接合されている。
また、一方のワイヤ端末部１５ｃは、下方フレーム部１１ｂのうち補強ブラケット１６が取り付けられた部分とシート幅方向において対応する位置、言い換えれば、上下で重なる位置に配置されている。
上記構成により、表皮吊り込みワイヤ１５の組み付け剛性が向上している。
【００３３】
補強ブラケット１６は、図３〜図６に示すように、バックフレーム１０を補強するためのブラケットであって、断面略Ｕ字形状に形成されており、連結フレーム１２の延出方向（上下方向）に対して傾いた傾斜方向に延びて、サイドフレーム部１１ｃと下方フレーム部１１ｂを連結している。
詳しく言うと、補強ブラケット１６は、メインフレーム１１の枠状内部に配置されている側方壁部１６ａと、側方壁部１６ａの幅方向の前端部から連続して屈曲し、メインフレーム１１の前面まで部分的に延びている前方壁部１６ｂと、側方壁部１６ａの幅方向の後端部から連続して屈曲し、前方壁部１６ｂと対向しながらメインフレーム１１の後面まで部分的に延びている後方壁部１６ｃと、から主に構成されている。
そして、前方壁部１６ｂ、後方壁部１６ｃのシート幅方向の外側端部がメインフレーム１１（サイドフレーム部１１ｃ）に対して溶接で接合されており、かつ、前方壁部１６ｂ、後方壁部１６ｃの内側端部が、メインフレーム１１（下方フレーム部１１ｂ）に溶接で接合されている。
【００３４】
補強ブラケット１６のうち、メインフレーム１１に近接した側方壁部１６ａの両端部分には、図３に示すように、メインフレーム１１との干渉を避けるための切り欠き部１６ｄが形成されている。
言い換えれば、前方壁部１６ｂ及び後方壁部１６ｃが、それぞれ側方壁部１６ａよりも一部張り出すように延びており、メインフレーム１１の外面に当接している。そして、これら当接部分が接合されており、溶接痕がそれぞれ形成されている。
上記のように、補強ブラケット１６のシート幅方向の両端部分が、それぞれメインフレーム１１を挟む形で組み付けられており、かつ、その両端部分がシート前後方向の両側において溶接で接合されている。そのため、補強ブラケット１６が組み付けられた部分及び周辺部分において剛性が向上している。
【００３５】
また前方壁部１６ｂのうち、下方フレーム部１１ｂに取り付けられた端部の周辺部分（詳しく言うと近接部分）には、シート前後方向のうち後方側に屈曲した段差部１６ｅが形成されている。
言い換えれば、前方壁部１６ｂを段差部１６ｅを境として上方部分と下方部分に分けたとき、その上方部分が下方部分に対して後方側に凹んだ形状となっている。
上記構成により、着座者が着座したときに、補強ブラケット１６のフレーム部分が着座者の腰部又は腰部周辺に当たらないような形状となっているため、着座者の着座フィーリングや乗り心地を向上させることができる。
【００３６】
取り付けブラケット１７は、図３〜図６に示すように、上下方向に延出する板金部材からなり、シート側面側から見て略弓形状に形成されており、取り付けブラケット１７の上方部分がメインフレーム１１のシート幅方向の外側面に取り付けられ、その下端部分が支持ベース４０の内側面に取り付けられている。
詳しく言うと、取り付けブラケット１７は、図５に示すように、断面略Ｕ字形状からなり、メインフレーム１１のシート幅方向の外側面に配置されている側壁部１７ａと、側壁部１７ａの幅方向の前端部から連続して屈曲し、メインフレーム１１の前面に延びている前壁部１７ｂと、側壁部１７ａの幅方向の後端部から連続して屈曲し、前壁部１７ｂと対向しながらメインフレーム１１の後面に延びている後壁部１７ｃと、から主に構成されている。
側壁部１７ａはメインフレーム１１に沿って上下方向に延出し、その下端部分が、支持ベース４０に対して回動可能となるように取り付けられている。また、前壁部１７ｂ、後壁部１７ｃのシート幅方向の内側端部がメインフレーム１１（サイドフレーム部１１ｃ,１１ｄ）に対して溶接で接合されている。
【００３７】
取り付けブラケット１７のうち、上下方向においてメインフレーム１１に対向した上方部分と、支持ベース４０に取り付けられた下端部分との間には、図４、図５に示すように、メインフレーム１１の形状に沿わせてシート幅方向の内側に屈曲した屈曲部１７ｄが形成されている。
すなわち、取り付けブラケット１７のうち、屈曲部１７ｄが形成された部分と、取り付けブラケット１７よりもシート幅方向の外側に配置された構成部品との間には隙間（空間）が形成されている。
そのため、メインフレーム１１に対する取り付けブラケット１７の取り付け剛性が高まるほか、取り付けブラケット１７の支持ベース４０に対する組み付け作業性が良好となる。
【００３８】
取り付けブラケット１７のうち、補強ブラケット１６のシート幅方向の外側端部と対向した部分には、図５に示すように、補強ブラケット１６との干渉を避けるための切り欠き部１７ｅが形成されている。
言い換えれば、前壁部１７ｂ、後壁部１７ｃは、それぞれ補強ブラケット１６の外側端部と対向する部分を避けた形でメインフレーム１１を覆うようにシート幅方向の内側に部分的に延びており、当該延出部分が接合されて、溶接痕がそれぞれ形成されている。
そのため、補強ブラケット１６又は取り付けブラケット１７の組み付け作業性、溶接作業性が向上するほか、これら構成部品が組み付けられた部分及び周辺部分において剛性が向上する。
【００３９】
取り付けブラケット１７の上端部は、図４に示すように、シート幅方向においてバックフレーム１０（メインフレーム１１）とクッションフレーム２０の間に挟まれている。
左側の取り付けブラケット１７の下端部には、図３、図４に示すように、シート幅方向において支持ベース４０に軸支されたシート回動軸１８が設けられ、右側の取り付けブラケット１７の下端部には、図２に示すように、支持ベース４０に対してバックフレーム１０を回動可能に連結するリクライニング装置１９が取り付けられている。
【００４０】
リクライニング装置１９は、公知の装置からなり、図２に示すように、右の取り付けブラケット１７のシート幅方向の外側面に取り付けられている。
リクライニング装置１９は、バックフレーム１０をシート回動軸１８を中心として前方側に回転させて収納状態に付勢する不図示の渦巻きバネを備えている。
この渦巻きバネは、その一端部がバックフレーム１０側に係止され、他端部が支持ベース４０側に係止されている。
リクライニング装置１９は、操作レバー５１の操作に伴ってシートバック１のロック状態が解除されることで作動し、渦巻きバネの付勢力によってバックフレーム１０を前方側に回転させて車体フロア側に折り畳むことができる。
【００４１】
クッションフレーム２０は、シートクッション２の骨格となる略矩形状の枠状体からなり、図２に示すように、左右側方に配置された左右のサイドフレーム２１と、各サイドフレーム２１の前方部分を連結する前方連結パイプ２２と、各サイドフレームの前後方向の略中央部分を連結する中央連結パイプ２３と、前方連結パイプ２２と中央連結パイプ２３を連結する板状フレームとしてのパンフレーム２４と、から主に構成されている。
【００４２】
サイドフレーム２１は、シート前後方向に延出する断面略Ｕ字形状の板金部材からなり、その前方部分が前方連結パイプ２２と連結され、その後方部分が取り付けブラケット１７を介してメインフレーム１１の外側面に取り付けられている。
なお、左のサイドフレーム２１の後端部分には、バックフレーム１０に対してクッション回動軸２７を中心としてクッションフレーム２０を回動可能に連結するクッション回動装置２６が取り付けられている。
【００４３】
前方連結パイプ２２は、図２に示すように、略コ字形状のパイプ部材からなり、そのシート幅方向の内側面には、クッションフレーム２０に対して脚回動軸２９を中心として支持脚３０を回動可能に連結する脚回動装置２８が取り付けられている。
【００４４】
支持脚３０は、図２に示すように、シートクッション２を支持する略コ字形状のパイプ部材であり、左右側方に配置された脚本体部３１と、各脚本体部３１の下端部を連結する脚連結部３２と、を備えている。
脚本体部３１の上端部は、クッションフレーム２０の左右内側面においてシート前後方向の中央部分に連結されている。また、脚連結部３２のシート幅方向の中央部は、車体フロア上にある不図示の脚保持部材に着脱可能に保持されている。
支持脚３０の上端部は、支持脚３０の下端部よりもシート前方に張り出しており、支持脚３０の下端部から支持脚３０の上端部に向かって前方に上方傾斜している。
【００４５】
支持ベース４０は、シートバック１を支持する部材であって、図２、図３に示すように、前後方向に長尺な略Ｌ字形状の板金部材からなり、シート幅方向の側方に配置されて車体フロアと連結されている。
支持ベース４０は、車体フロア上面に連結された連結壁部４１と、連結壁部４１の左右外側端部から上方へ屈曲して延出し、取り付けブラケット１７の下端部分にシート回動軸１８を介して連結される外側壁部４２と、から主に構成されている。
【００４６】
切り替え装置５０は、車両用シートＳを使用状態から収納状態へ切り替えるための公知の装置からなり、図１、図２に示すように、バックフレーム１０の上方部分に取り付けられている。
切り替え装置５０は、車体部材の一部となる不図示の係合ストライカに対して着脱可能に設けられた係合フックと、この係合フックの先端部分をシート上下方向に移動させて係合ストライカに係合ロックさせるための操作レバー５１と、を備えている。
なお、係合フックは、不図示のケーブルを介して操作レバー５１と連結されており、操作レバー５１によって係合フックを係合ストライカにロック可能なロック可能状態と、ロック不能なロック不能状態とに切り替え可能な構成となっている。
【００４７】
車両用シートＳは、使用状態から、乗員が操作レバー５１を操作すると、切り替え装置５０によるバックフレーム１０のロック状態が解除される。シートバック１のロック状態解除に伴ってリクライニング装置１９が動作し、具体的には不図示の渦巻きバネの付勢力によってバックフレーム１０を前方側へ回転させて折り畳むことができる。
また、バックフレーム１０の回転動作に伴ってクッション回動装置２６及び脚回動装置２８がそれぞれ動作し、具体的には不図示の渦巻きバネの付勢力によって支持脚３０を脚回動軸２９を中心としてクッションフレーム２０側へ回転させて折り畳むことができる。
上記一連の動作によって、シート本体が収納フロアに収納され、車両用シートＳが使用状態から収納状態に切り替わる。
なお、車両用シートＳを収納状態から使用状態へ復帰させたい場合には、乗員がシート本体を不図示の渦巻きバネの付勢力に抗して手で持ち上げる等して、切り替え装置５０の係合フックを係合ストライカに係合させて、バックフレーム１０をロック状態に切り替えれば良い。
【００４８】
ワイヤ部材６０は、チャイルドシートを連結するためのアンカーであって、図３〜図６に示すように、シート幅方向に所定の間隔を空けてメインフレーム１１の下端に一対となって取り付けられている。
詳しく言うと、一対のワイヤ部材６０は、図５に示すように、略Ｕ字形状からなり、シート幅方向に延びるワイヤ本体部６１と、ワイヤ本体部６１のシート幅方向の内側端部から連続して屈曲してシート後方に延びる内側端部６２と、ワイヤ本体部の外側端部から連続して屈曲してシート後方に延びる外側端部６３と、から主に構成されている。
【００４９】
左側のワイヤ部材６０については、その内側端部６２が下方フレーム部１１ｂの外周面に沿ってシート後方へ延びており、下方フレーム部１１ｂの外周面に当接している。そして、当接部分が接合されており、溶接痕が形成されている。
また、外側端部６３が取り付けブラケット１７のシート幅方向の外側面に沿って後方へ延びており、当該外側面に当接している。そして当接部分が接合され、溶接痕が形成されている。
一方で、右側のワイヤ部材６０´については、内側端部６２及び外側端部６３が下方フレーム部１１ｂの外周面に沿って後方へ延びて、当該外周面に当接している。そして、当接部分が接合され、溶接痕が形成されている。
以下、左側のワイヤ部材６０について説明する。
【００５０】
内側端部６２は、図５に示すように、下方フレーム部１１ｂの外周面のうち底面および後面を覆うようにフック状に延びており、当該底面及び後面に当接して溶接されている。
そのため、ワイヤ部材６０のメインフレーム１１に対する組み付け剛性を高めながらも、ワイヤ部材の組み付け作業性を考慮したバランスの良い構成となっている。
【００５１】
ワイヤ本体部６１及び外側端部６３は、取り付けブラケット１７の前面及び外側面を覆うように延びており、当該前面及び外側面に当接して溶接されている。
そのため、ワイヤ部材６０が取り付けブラケット１７によってシート後方から前方に向かって、かつ、シート幅方向の内側から外側に向かって支持されることから、ワイヤ部材６０の組み付け剛性が格段に向上する。例えば、外側端部６３が取り付けブラケット１７の内側面に取り付けられる場合と比較してワイヤ部材の組み付け剛性が飛躍的に高まる。
【００５２】
外側端部６３は、図４に示すように、シート幅方向において取り付けブラケット１７のうち屈曲部１７ｄが形成された部分と、サイドフレーム２１の間に設けられた隙間に配置されている。
言い換えれば、ワイヤ部材６０は、シート幅方向においてメインフレーム１１よりも張り出していない位置に、すなわち、メインフレーム１１の外側面よりも内側に配置されている。
そのため、取り付けブラケット１７自体の剛性の向上、ワイヤ部材６０の組み付け剛性の向上のほか、ワイヤ部材６０と他の構成部品との干渉を抑制することができる。
特に本実施例のような使用状態と収納状態との間でシートアレンジ可能な車両用シートＳにおいては、クッションフレーム２０のような回転動作を伴う構成部品との干渉を避けることができるため、格別な効果を奏する。
【００５３】
＜その他の実施形態＞
上記実施形態において、図１に示すように、車両用シートＳは、車両のリアシートとして形成されているが、特に限定されることなく、車両のフロントシートであっても良いし、３列シートを有する車両においてミドルシートであっても良い。
【００５４】
上記実施形態において、車両用シートＳは、使用状態と収納状態の間でシートアレンジが可能なシートであるが、特に限定されることなく、例えば使用状態と、収納状態と、シート本体を上方に跳ね上げたチップアップ状態との３種類の形態のシートアレンジが可能なシートであっても良い。
また、車両用シートＳのシート前方に収納フロアが形成されているが、特に限定されることなく、車両用シートＳの後方に収納フロアが形成されていても良い。
【００５５】
上記実施形態において、図２、図３に示すように、支持ベース４０は、車体フロアに直接固定されているが、特に限定されることなく、例えば、シート本体を前後方向に移動可能に支持するレール装置を介して車体フロア上に間接的に固定されていても良い。
【００５６】
上記実施形態において、補強ブラケット１６や取り付けブラケット１７は、メインフレーム１１に溶接で取り付けられているが、特に溶接方法は限定されることなく、レーザー溶接のほか、アーク溶接やスポット溶接等の各種溶接方法が採用されても良い。
【００５７】
上記実施形態において、図３に示すように、取り付けブラケット１７は、その上方部分がバックフレーム１０に取り付けられ、その下方部分が支持ベース４０に取り付けられているが、特に限定されることなく変更可能である。
例えば、取り付けブラケット１７の下方部分が、クッションフレーム２０に対して取り付けられていても良いし、別途設けられたレール装置に対して取り付けられていても良い。
【００５８】
上記実施形態において、図５に示すように、ワイヤ部材６０の内側端部６２は、下方フレーム部１１ｂの外周面に沿って延びて取り付けられているが、特に限定されることなく、例えば下方フレーム部１１ｂを貫通して延びて、溶接で取り付けられていても良い。
外側端部６３も同様にして、取り付けブラケット１７をシート幅方向に貫通して延びて、溶接で取り付けられていても良い。
【００５９】
上記実施形態では、具体例として自動車に用いられる収納可能な車両用シートについて説明したが、これに限定されることなく、電車、バス等の車両用シートのほか、飛行機、船等の乗物用シートとしても利用することができる。
【００６０】
本実施形態では、主として本発明に係る車両用シートＳに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、バックフレーム１０、補強ブラケット１６、取り付けブラケット１７、ワイヤ部材６０の形状、配置、及び構成について、上記の実施形態にて説明したものは、あくまで一例に過ぎず、本発明を限定するものではない。
【符号の説明】
【００６１】
Ｓ  車両用シート
１  シートバック
１ａ，２ａ，３ａ  クッション材
１ｂ，２ｂ，３ｂ  表皮材
２  シートクッション
３  ヘッドレスト
３ｃ  ヘッドレストガイド
１０  バックフレーム
１１  メインフレーム
１１ａ  上方フレーム部
１１ｂ  下方フレーム部
１１ｃ，１１ｄ  サイドフレーム部
１２  連結フレーム
１３  パネルフレーム
１３ａ  フレーム取り付け凸部
１３ｂ  補強凹部
１４  リトラクタ用ブラケット
１５  表皮吊り込みワイヤ
１５ａ  ワイヤ本体部
１５ｂ  ワイヤ延出部
１５ｃ  ワイヤ端末部
１６  補強ブラケット
１６ａ  側方壁部
１６ｂ  前方壁部
１６ｃ  後方壁部
１６ｄ  切り欠き部
１６ｅ  段差部
１７  取り付けブラケット
１７ａ  側壁部
１７ｂ  前壁部
１７ｃ  後壁部
１７ｄ  屈曲部
１７ｅ  切り欠き部
１８  シート回動軸
１９  リクライニング装置
２０  クッションフレーム
２１  サイドフレーム
２２  前方連結パイプ
２３  中央連結パイプ
２４  パンフレーム
２６  クッション回動装置
２７  クッション回動軸
２８  脚回動装置
２９  脚回動軸
３０  支持脚
３１  脚本体部
３２  脚連結部
４０  支持ベース
４１  連結壁部
４２  外側壁部
５０  切り替え装置
５１  操作レバー
６０，６０´  ワイヤ部材
６１  ワイヤ本体部
６２  内側端部
６３  外側端部
【図１】
2020040507.tif 000003
【図２】
2020040507.tif 000004
【図３】
2020040507.tif 000005
【図４】
2020040507.tif 000006
【図５】
2020040507.tif 000007
【図６】
2020040507.tif 000008
【図７】
2020040507.tif 000009